(57)【特許請求の範囲】
【請求項１】
構造物に設けられる窓枠と、
上端部に前記窓枠に支持される被支持部を有し、前記窓枠に対向して前記被支持部を中心として開閉自在に設けられる換気窓と、
前記換気窓の前記被支持部より下の位置に、前記換気窓が設けられた側とは逆側に向かって前記窓枠から突出する位置まで延設された支持アームと、
前記支持アームの前記窓枠から突出する位置に軸支され、上下方向に移動可能な操作杆と、
前記窓枠の前記換気窓が設けられた側とは逆側で前記操作杆の移動をガイドするガイド部材であり、前記操作杆の前記支持アームに対する軸支位置の下方で、この軸支位置よりも前記窓枠から遠い位置で前記操作杆をガイドし、前記操作杆の所定の位置に係合して前記換気窓の開閉角度を固定可能なガイド部材と
を有し、
前記操作杆は、前記窓枠側に前記ガイド部材に係合可能な複数の凹部を有し、当該操作杆の自重により前記ガイド部材との係合状態を維持するものである換気装置。
【請求項２】
前記換気窓は、自重により前記被支持部を中心に回転して閉じる一方、前記操作杆を下方向へ移動させることにより前記支持アームを介して前記被支持部を中心に押し上げられるものである請求項１記載の換気装置。
【請求項３】
前記換気窓を閉じる方向に付勢する付勢手段を有する請求項１または２に記載の換気装置。
【発明の詳細な説明】
【技術分野】
【０００１】
本発明は、ビニールハウス等の構造物の換気装置に関する。
【背景技術】
【０００２】
一般に、ビニールハウス等の温室内は、育成する植物に対して適温に設定する必要がある。そのため、ビニールハウスの妻面、側面または屋根面に設けた開口部に開閉自在な換気窓を形成し、この換気窓の開閉によって温室内の空気を換気させる換気装置が設けられている。
【０００３】
従来、この種の換気装置は、例えば特許文献１に記載のように、温室の妻面に設けた窓枠と、窓枠に対向して開閉自在に設けた換気窓と、窓枠の内側中央に架設したガイド支柱と、ガイド支柱に移動自在に取り付けたスライダーと、換気窓とスライダーとの間に結合したリンクと、スライダーに結合されて当該スライダーを引き上げながら換気窓を開かせる開用ロープと、換気窓を閉じ方向に引っ張る閉用ロープとを備えている。
【先行技術文献】
【特許文献】
【０００４】
【特許文献１】特開２００６−２５４７７８号公報
【発明の概要】
【発明が解決しようとする課題】
【０００５】
上記のように従来の換気装置は、換気窓を開閉するために開用ロープと閉用ロープとをそれぞれ備えている。そのため、換気窓を開閉する際に、どちらのロープを操作すれば良いか分かりにくいという問題がある。
【０００６】
そこで、本発明においては、１つの操作手段によって換気窓を開閉することが可能な換気装置を提供することを目的とする。
【課題を解決するための手段】
【０００７】
本発明の換気装置は、構造物に設けられる窓枠と、上端部に窓枠に支持される被支持部を有し、窓枠に対向して被支持部を中心として開閉自在に設けられる換気窓と、換気窓の被支持部より下の位置に、換気窓が設けられた側とは逆側に向かって窓枠から突出する位置まで延設された支持アームと、支持アームの窓枠から突出する位置に軸支され、上下方向に移動可能な操作杆と、窓枠の換気窓が設けられた側とは逆側で操作杆の移動をガイドするガイド部材であり、操作杆の所定の位置に係合して換気窓の開閉角度を固定可能なガイド部材とを有するものである。
【０００８】
本発明の換気装置によれば、換気窓を開く際には、操作杆を下方向に移動させると、窓枠に上端部が支持された換気窓が、支持アームを介して被支持部を中心に押し上げられる。逆に、換気窓を閉じる際には、換気窓の自重により換気窓が被支持部を中心に回転し、操作杆が上方向に移動する。
【０００９】
ここで、ガイド部材は、操作杆の支持アームに対する軸支位置の下方で、この軸支位置よりも窓枠から遠い位置で操作杆をガイドするものであり、操作杆は、窓枠側にガイド部材に係合可能な複数の凹部を有し、当該操作杆の自重によりガイド部材との係合状態を維持するものであることが望ましい。
【００１０】
これにより、操作杆には、その自重によって、常時、操作杆の支持アームに対する軸支位置を中心として窓枠側に近付く方向に力が働くようになる。したがって、この操作杆の窓枠側の複数の凹部のうち換気窓の所望の開閉角度が得られる凹部を、ガイド部材に係合させると、この操作杆の自重によりガイド部材との係合状態が維持され、換気窓はその所望の開閉角度で固定される。なお、操作杆のガイド部材との係合状態の解除は、操作杆を窓枠側から離れる方向に引っ張ることにより可能となる。
【００１１】
また、上述のように、本発明の換気装置は、換気窓の自重により被支持部を中心に回転して閉じるものであるため、この換気窓を閉じる方向に付勢手段を有することが望ましい。これにより、換気窓を閉じる方向に付勢した状態を維持することができるため、換気窓が構造物の内外の気圧差により開いたり、がたついたりするのを防止することができる。
【発明の効果】
【００１２】
（１）構造物に設けられる窓枠と、上端部に窓枠に支持される被支持部を有し、窓枠に対向して被支持部を中心として開閉自在に設けられる換気窓と、換気窓の被支持部より下の位置に、換気窓が設けられた側とは逆側に向かって窓枠から突出する位置まで延設された支持アームと、支持アームの窓枠から突出する位置に軸支され、上下方向に移動可能な操作杆と、窓枠の換気窓が設けられた側とは逆側で操作杆の移動をガイドするガイド部材であり、操作杆の所定の位置に係合して換気窓の開閉角度を固定可能なガイド部材とを有する換気装置によれば、操作手段としての１つの操作杆によって開閉窓を開閉することが可能となる。
【００１３】
（２）ガイド部材が、操作杆の支持アームに対する軸支位置の下方で、この軸支位置よりも窓枠から遠い位置で操作杆をガイドするものであり、操作杆が、窓枠側にガイド部材に係合可能な複数の凹部を有し、当該操作杆の自重によりガイド部材との係合状態を維持するものであることにより、操作杆の自重によりガイド部材との係合状態が維持され、換気窓を所望の開閉角度で固定することが可能となる。
【００１４】
（３）換気窓を閉じる方向に付勢手段を有することにより、換気窓が構造物の内外の気圧差により開いたり、がたついたりするのを防止することが可能となる。
【図面の簡単な説明】
【００１５】
【図１】ビニールハウスの妻面に設けた換気装置の斜視図である。
【図２】ビニールハウスの内側からみた図１の換気装置の斜視図である。
【図３】図２の一部拡大斜視図である。
【図４】図３の右側面図である。
【図５】図４の換気装置の作動状態を示す右側面図である。
【図６】図４の換気装置の作動状態を示す右側面図である。
【発明を実施するための形態】
【００１６】
図１は本発明の実施の形態におけるビニールハウスの妻面に設けた換気装置の斜視図、図２はビニールハウスの内側からみた図１の換気装置の斜視図、図３は図２の一部拡大斜視図、図４は図３の右側面図である。なお、以下の説明において、表側とはビニールハウスの外側、裏側とはビニールハウスの内側を指すものとする。
【００１７】
図１および図２に示すように、本発明の実施の形態における換気装置は、ビニールハウス等の構造物の支柱Ｍに設けられる窓枠１と、窓枠１に対向して開閉自在に設けられる換気窓２と、換気窓２の裏側上部に設けられた略Ｌ字状の支持アーム３と、支持アーム３の上端部に回転自在に軸支された操作杆４と、操作杆４の移動をガイドするガイド部材５と、操作杆４の下端部に結合された開閉用ロープ６とを有する。
【００１８】
窓枠１は、枠体１ａによって矩形状に形成されている。窓枠１には、展張された網７が設けられている。網７は、枠体１ａに沿って形成された蟻溝１ｂに、シート材止着部材としての波形の線状スプリング８によって固定されている。また、窓枠１の上部には、換気窓２を開閉自在に支持する支持部９が形成されている。また、窓枠１の中央部には、上下方向にガイドフレーム１３が架設されている。
【００１９】
換気窓２は、枠体２ａによって窓枠１に対応して矩形状に形成されている。換気窓２の上端部には、窓枠１の支持部９内に係合して開閉可能に支持される被支持部１０が形成されている。また、換気窓２には、ビニールハウス自体に展張された透明シート１１が設けられている。透明シート１１は、枠体２ａに沿って形成された蟻溝２ｂに、シート材止着部材としての波形の線状スプリング１２によって固定されている。
【００２０】
略Ｌ字状の支持アーム３は、図４に示すように、換気窓２の中央部の枠体２ａの被支持部１０より下の位置に設けられている。窓枠１の中央部に架設されたガイドフレーム１３の上部には、上下方向に沿ってガイドスリット１４（図１参照。）が設けられており、支持アーム３はガイドスリット１４を通じて、ビニールハウスの内側、すなわち換気窓２が設けられた側とは逆側に向かって窓枠１から突出する位置まで延設されている。支持アーム３のビニールハウス内側の端部は、上方へ向かって配置されている。
【００２１】
操作杆４は、図３に示すように、支持アーム３の窓枠１から突出する位置の上端部にボルト・ナット３０により回転自在に軸支されている。また、操作杆４は、ガイド部材５に換気窓２の開閉方向に設けられたガイドスリット１５によって、上下方向および換気窓２の開閉方向のみに移動可能にガイドされている。また、操作杆４の窓枠１側の端辺部には、ガイド部材５に係合可能な複数の凹部４ａが所定間隔で設けられている。
【００２２】
ガイド部材５は、図３に示すように、ガイドフレーム１３に対し、ビニールハウスの内側、すなわち窓枠１の換気窓２が設けられた側とは逆側に向けて設けられたものである。ガイド部材５のガイドスリット１５は、図４に示すように、操作杆４の支持アーム３に対するボルト・ナット３０の軸支位置の下方で、この軸支位置よりも窓枠１から遠い位置で操作杆４をガイドするように形成されている。そのため、操作杆４は、その自重によって、常時、窓枠１側に近付く方向に力が働くようになっている。ガイド部材５のガイドスリット１５のガイドフレーム１３側の端部１５ａは、操作杆４の複数の凹部４ａがそれぞれ係合可能となっており、操作杆４の凹部４ａがガイド部材５の端部１５ａに係合すると、操作杆４の自重によりガイド部材５との係合状態が維持される。また、ガイド部材５のガイドスリット１５の端部１５ａと反対側には、操作杆４の上下動作をスムーズに行うためのガイドローラ１６が設けられている。
【００２３】
また、本実施形態における換気装置は、図３に示すように、換気窓２を閉じる方向に付勢する付勢手段１７を備えている。付勢手段１７は、ガイドフレーム１３内を上下に移動するスライダー１８と、スライダー１８を下方向に付勢する定荷重ばね１９と、一端が換気窓２の中央部の枠体２ａの中央部に固定され、他端がスライダー１８に固定されたワイヤー２０と、ガイドフレーム１３に軸支されたプーリー２１とにより構成されている。ワイヤー２０は、ガイドフレーム１３に形成された開孔２２を通じてプーリー２１に掛けられ、スライダー１８に固定されている。定荷重ばね１９は、ばねの引き出し長さ（ストローク）に関係なく力（荷重）が一定のばねである。換気窓２は、この定荷重ばね１９により換気窓２の開閉角度に関係なく、スライダー１８およびワイヤー２０を通じて常に一定の力で閉じる方向に付勢される。
【００２４】
次に、上記構成の換気装置の動作について説明する。図５および図６は図４の換気装置の作動状態を示す右側面図である。
【００２５】
図４に示す状態では、操作杆４の凹部４ａがガイド部材５の端部１５ａ（図３参照。）に係合し、操作杆４の自重によりガイド部材５との係合状態が維持されている。この状態から換気窓２を開く場合、開閉用ロープ６をビニールハウスの内側に引き、操作杆４がガイドローラ１６に押し付けられた状態としつつ、斜め下方向へ引き下げる。これにより、操作杆４の凹部４ａがガイド部材５の端部１５ａから外れた状態で、下方向へ移動する。その結果、窓枠１に上端部が支持された換気窓２が、図５および図６に示すように、支持アーム３を介して被支持部１０を中心に押し上げられて開く。
【００２６】
そして、図５や図６に示すように、換気窓２の開閉角度が所望の角度となった位置で、開閉用ロープ６をビニールハウスの外側へ引くと、操作杆４の複数の凹部４ａのうちのいずれかがガイド部材５の端部１５ａに係合する。この状態で開閉用ロープ６から手を離すと、換気窓２の自重によって操作杆４には上方向に力が働くとともに、操作杆４にはその自重によって、常時、操作杆４の支持アーム３に対する軸支位置を中心として窓枠１側に近付く方向に力が働く。これにより、操作杆４は、ガイド部材５との係合状態が維持され、換気窓２はその所望の開閉角度で固定される。
【００２７】
一方、換気窓２を閉じる際には、開閉用ロープ６をビニールハウスの内側に引き、操作杆４の凹部４ａがガイド部材５の端部１５ａから外れた状態として、開閉用ロープ６を緩めると、換気窓２の自重によって換気窓２が被支持部１０を中心に回転し、操作杆４が上方向に移動する。そして、前述と同様に、換気窓２の開閉角度が所望の角度となった位置や換気窓２が完全に閉じた位置で、開閉用ロープ６をビニールハウスの外側へ引くと、操作杆４の複数の凹部４ａのうちのいずれかがガイド部材５の端部１５ａに係合し、開閉用ロープ６から手を離すと、操作杆４はガイド部材５との係合状態が維持され、換気窓２は固定される。
【００２８】
また、本実施形態における換気装置では、換気窓２が付勢手段１７によって換気窓２を閉じる方向に付勢されているため、操作杆４の自重に加えて、この付勢手段１７の付勢力によって換気窓２を閉じる方向に付勢された状態が維持される。そのため、特に、換気窓２が完全に閉じた状態で、ビニールハウスの内外の気圧差により換気窓２が開いたり、がたついたりすることが防止されている。なお、本実施形態においては、定荷重ばね１９により換気窓２の開閉角度に関係なく、スライダー１８およびワイヤー２０を通じて常に一定の力で閉じる方向に付勢されており、どの開閉角度でも換気窓２がしっかりと固定された状態で維持される。
【００２９】
なお、本実施形態における換気装置は、上述したようにビニールハウスの妻面だけでなく、同様の構造物の妻面、側面や屋根面等に設けることも可能である。また、定荷重ばね１９に代えて他の種類のばねを使用することも可能である。
【産業上の利用可能性】
【００３０】
本発明の換気装置は、ビニールハウス等の構造物の換気装置として有用である。
【符号の説明】
【００３１】
１  窓枠
２  換気窓
１ａ，２ａ  枠体
１ｂ，２ｂ  蟻溝
３  支持アーム
４  操作杆
４ａ  凹部
５  ガイド部材
６  開閉用ロープ
７  網
８，１２  線状スプリング
９  支持部
１０  被支持部
１１  透明シート
１３  ガイドフレーム
１４，１５  ガイドスリット
１５ａ  端部
１６  ガイドローラ
１７  付勢手段
１８  スライダー
２０  ワイヤー
２１  プーリー
２２  開孔
３０  ボルト・ナット
【図１】
0005611285.tif 000002
【図２】
0005611285.tif 000003
【図３】
0005611285.tif 000004
【図４】
0005611285.tif 000005
【図５】
0005611285.tif 000006
【図６】
0005611285.tif 000007